(57)【要約】【課題】  記憶媒体に格納された電子チケット情報が不正に複製されたとしても、当該複製された電子チケット情報を利用する事が出来てしまう。【解決手段】  本発明では、電子チケット情報と電子チケットを格納する記憶媒体との組み合わせによって、当該電子チケット情報の有効性を判定する。従って、複製されたとみなされる電子チケット情報の利用を防止する事が可能となる。【選択図】      図４
2006215629.tif 000002
【特許請求の範囲】
【請求項１】
記憶装置に情報を格納する電子チケット発行装置、及び前記記憶装置に記憶された情報を読み出す入場可否判定装置からなる電子チケットシステムにおいて、
前記記憶装置は、
前記記憶装置の識別子が格納された記憶領域である識別子記憶部と、
前記電子チケット発行装置が情報を格納する記憶領域であるチケット情報記憶部と、を備え、
前記電子チケット発行装置は、
第一の電子チケット情報を作成するチケット作成手段と、
前記識別子記憶部から前記記憶装置の識別子を取得する識別子取得手段と、
前記第一の電子チケット情報と前記記憶装置の識別子とを組み合わせて、第二の電子チケット情報を作成するチケット組み合わせ手段と、
前記作成した第二の電子チケット情報を前記チケット情報記憶部に格納するチケット発行手段と、を備え、
前記入場可否判定装置は、
前記識別子記憶部から前記記憶装置の識別子を取得する識別子取得手段と、
前記チケット情報記憶部から前記第二の電子チケット情報を取得するチケット情報取得手段と、
前記記憶装置の識別子と前記第二の電子チケット情報に基づいて、前記第一の電子チケット情報を作成するチケット再作成手段と、
前記作成した第一の電子チケット情報が入場に係る条件を満たすか否か判定する入場可否判定手段と、
前記入場可否判定手段の判定に応じて、入場可否を決定する入場規制手段と、
を備える事を特徴とする電子チケットシステム。
【請求項２】
記憶装置に情報を格納する電子チケット発行装置において、
第一の電子チケット情報を作成するチケット作成手段と、
前記記憶装置から記憶装置の識別子を取得する識別子取得手段と、
前記第一の電子チケット情報と前記記憶装置の識別子とを組み合わせて、第二の電子チケット情報を作成するチケット組み合わせ手段と、
前記作成した第二の電子チケット情報を前記記憶装置に格納するチケット発行手段と、を備える事を特徴とする電子チケット発行装置。
【請求項３】
記憶装置に情報を格納する電子チケット発行方法において、
チケットの選択情報を受け付けるステップと、
前記選択情報に基づいて第一の電子チケット情報を作成するステップと、
前記記憶装置から記憶装置の識別子を取得するステップと、
前記第一の電子チケット情報と前記記憶装置の識別子とを組み合わせて、第二の電子チケット情報を作成するステップと、
前記作成した第二の電子チケット情報を前記記憶装置に格納するステップと、を実行する事を特徴とする電子チケット発行方法。
【請求項４】
記憶装置に記憶された情報を読み出す入場可否判定装置において、
前記識別子記憶部から前記記憶装置の識別子を取得する識別子取得手段と、
前記チケット情報記憶部から前記第二の電子チケット情報を取得するチケット情報取得手段と、
前記記憶装置の識別子と前記第二の電子チケット情報に基づいて、前記第一の電子チケット情報を作成するチケット再作成手段と、
前記作成した第一の電子チケット情報が入場に係る条件を満たすか否か判定する入場可否判定手段と、
前記入場可否判定手段の判定に応じて、入場可否を決定する入場規制手段と、を備える事を特徴とする入場可否判定装置。
【請求項５】
記憶装置に記憶された情報を読み出す入場可否判定方法において、
前記識別子記憶部から前記記憶装置の識別子を取得するステップと、
前記チケット情報記憶部から前記第二の電子チケット情報を取得するステップと、
前記記憶装置の識別子と前記第二の電子チケット情報に基づいて、前記第一の電子チケット情報を作成するステップと、
前記作成した第一の電子チケット情報が入場に係る条件を満たすか否か判定するステップと、
前記入場可否判定手段の判定に応じて、入場可否を決定するステップと、を実行する事を特徴とする入場可否判定方法。
【発明の詳細な説明】
【技術分野】
【０００１】
本発明は、映画鑑賞券やコンサート入場券等のチケットを、電子データのチケット情報として発行し、当該チケット情報を、ユーザの所持する記憶媒体に記憶させる電子チケット発行装置に関する。また、映画館やコンサート会場等の入口で、ユーザの所持する記憶媒体に記憶されたチケット情報を読み出し、当該チケット情報に基づいて、当該ユーザの入場可否を判定する入場可否判定装置に関する。そして、電子チケット発行装置及び入場可否判定装置を組み合わせてシステムを構成した電子チケットシステムに関する。
【背景技術】
【０００２】
近年、電子チケット情報を、携帯電話機の記憶部やＩＣカード等の可搬性に優れた記憶媒体に格納する電子チケット発行装置が実現されている。また、映画館やコンサート会場の入口で、携帯電話機の記憶部やＩＣカード等の記憶媒体に記憶された電子チケット情報が、入場の為の条件を満たすか否か判定する入場可否判定装置が実現されている。
【０００３】
例えば、特許文献１には、ＩＣカードインタフェースを有する携帯電話機からホテルや映画の予約を受け付けて、電子入場券を作成し、当該電子入場券を、携帯電話機に接続されたＩＣカードの記憶部に格納する予約サーバが開示されている。また、ホテルや映画館などの入口で、携帯電話機に接続されたＩＣカードから電子入場券を読み出し、当該電子入場券が入口通過の条件を満たすか否か判定する入口規制システムが開示されている。
【特許文献１】特開２００２−８３０８７号公報
【発明の開示】
【発明が解決しようとする課題】
【０００４】
ところで、特許文献１に開示されているような電子入場券を第三者が入手した場合、第三者も入口を通過する事が可能となる。
【０００５】
例えば、ユーザの所持する記憶媒体に記憶された電子入場券が複製され、第三者の所持する記憶媒体に格納された場合には、第三者も電子入場券の利用が可能となってしまう。
【０００６】
特に、遊園地の入場券や映画の前売り券等、予約を伴わず、不特定多数のユーザを対象として販売される類の電子入場券では、不特定多数のユーザに同一の電子入場券が発行される事になり、不正に複製された電子入場券を特定する事は困難である。
【０００７】
本発明は、このような課題に鑑みなされたものであって、複製されたとみなされる電子チケット情報を利用した入場を防止する入場可否判定装置、入場可否判定装置で利用される電子チケット情報を発行する電子チケット発行装置、及び入場可否判定装置と電子チケット発行装置とを組み合わせてなる電子チケットシステムを提供する事を目的とする。
【課題を解決するための手段】
【０００８】
上記課題を解決する為に、本発明では、電子チケット情報とそれを記憶する記憶媒体の組み合わせによって、不正に複製された電子チケット情報かどうか判断出来る事に着目した。
【０００９】
即ち、本発明の電子チケットシステムは、記憶装置に情報を格納する電子チケット発行装置、及び前記記憶装置に記憶された情報を読み出す入場可否判定装置からなる電子チケットシステムにおいて、前記記憶装置は、前記記憶装置の識別子が格納された記憶領域である識別子記憶部と、前記電子チケット発行装置が情報を格納する記憶領域であるチケット情報記憶部と、を備え、前記電子チケット発行装置は、第一の電子チケット情報を作成するチケット作成手段と、前記識別子記憶部から前記記憶装置の識別子を取得する識別子取得手段と、前記第一の電子チケット情報と前記記憶装置の識別子とを組み合わせて、第二の電子チケット情報を作成するチケット組み合わせ手段と、前記作成した第二の電子チケット情報を前記チケット情報記憶部に格納するチケット発行手段と、を備え、前記入場可否判定装置は、前記識別子記憶部から前記記憶装置の識別子を取得する識別子取得手段と、前記チケット情報記憶部から前記第二の電子チケット情報を取得するチケット情報取得手段と、前記記憶装置の識別子と前記第二の電子チケット情報に基づいて、前記第一の電子チケット情報を作成するチケット再作成手段と、前記作成した第一の電子チケット情報が入場に係る条件を満たすか否か判定する入場可否判定手段と、前記入場可否判定手段の判定に応じて、入場可否を決定する入場規制手段と、を備える事を特徴とする。
【００１０】
本発明は、上記のように、例えば、記憶媒体を識別可能な識別子で復号出来るように、電子チケット情報を暗号化している。そして、暗号化した電子チケット情報を記憶媒体に格納するようにしている。一方、入場可否判定装置では、記憶媒体を識別可能な識別子を記憶媒体から取得し、当該識別子に基づいて、記憶媒体に格納された暗号化された電子チケット情報を復号して、入場可否を判定している。従って、暗号化された電子チケット情報が複製され、他の記憶媒体に格納されたとしても、入場可否判定装置では、他の記憶媒体を識別可能な識別子に基づいて暗号化された電子チケット情報を復号する為、正常に復号化する事は出来ない。
【００１１】
このように、本発明では、電子チケット情報と電子チケットを格納する記憶媒体との組み合わせによって、当該電子チケット情報の有効性を判定する事が出来る。従って、複製されたとみなされる電子チケット情報の利用を防止する事が可能となる。
【発明の効果】
【００１２】
本発明の電子チケット発行装置、入場可否判定装置、及び電子チケットシステムによれば、電子チケット情報と電子チケットを格納する記憶媒体との組み合わせによって、当該電子チケット情報の有効性を判定する事が出来る。従って、複製されたとみなされる電子チケット情報の利用を防止する事が可能となる。
【発明を実施するための最良の形態】
【００１３】
以下、本発明の実施例を図面に基づいて説明する。
【実施例１】
【００１４】
本発明の実施例に係る電子チケット発行システム及び入場可否判定システムの処理態様を、図１乃至図１６を用いて説明する。
【００１５】
図１は、本発明の実施例による、インターネット網、電話回線網及びＬＡＮ等のネットワーク５を介して相互接続された電子チケット発行装置４、携帯端末６、及び入場可否判定装置７からなる電子チケットシステム１の構成を示している。ここで、電子チケットシステム１は、電子チケット発行装置４、ネットワーク５及び携帯端末６からなる電子チケット発行システム２、及び、携帯端末６及び入場可否判定装置７からなる入場可否判定システム３で構成されている。尚、図１の入場可否判定装置７は、ネットワーク５に接続するように例示しているが、ネットワーク５と接続せず、スタンドアロンで動作するように構成しても良い。
【００１６】
電子チケット発行装置４は、図２に示すように、ＣＰＵ、ＲＡＭ、ＲＯＭ、磁気記憶装置、及び各種インタフェースなどによって構成されている。磁気記憶装置には、図３に示すようなユーザ情報データベース４１、ユーザ認証部４２、チケット情報データベース４３、チケット購入処理部４４、携帯端末識別子取得部４５、予約管理データベース４６、チケット情報暗号化部４７、及びチケット情報送出部４８などの機能を実現するためのプログラムやデータベースがインストールされている。これらのプログラム及びデータベースは、必要に応じてＲＡＭにロードされ、ＣＰＵによって実行される。電子チケット発行装置４として、サーバコンピュータ、ワークステーション、パーソナルコンピュータなどのコンピュータが用いられる。
【００１７】
本実施例の電子チケット発行装置４は、図３に示すように、ユーザ情報データベース４１、ユーザ認証部４２、チケット情報データベース４３、チケット購入処理部４４、携帯端末識別子取得部４５、予約管理データベース４６、チケット情報暗号化部４７、及びチケット情報送出部４８で構成されている。
【００１８】
ユーザ情報データベース４１は、ユーザ識別子毎に、パスワードなどのユーザ情報を記憶するものである。
【００１９】
ユーザ認証部４２は、後述する携帯端末６から起動され、携帯端末６から受信したユーザ識別子及びパスワードの組み合わせが、ユーザ情報データベース４１に記憶されているか否か判定するものである。
【００２０】
チケット情報データベース４３は、各種チケットに関連する情報、例えば、イベントの開催日などの情報を記憶するものである。
【００２１】
チケット購入処理部４４は、チケット情報データベース４３を参照して、後述する携帯端末６に、購入可能なチケットに関する情報を送信すると共に、携帯端末６からチケットの選択を受け付け、予約番号を発行して、後述する予約管理データベース４６に、予約番号に対応付けて、選択されたチケットに関連する情報を格納するものである。
【００２２】
携帯端末識別子取得部４５は、後述する携帯端末６の端末固有番号を取得するものである。
【００２３】
予約管理データベース４６は、予約番号毎に、選択されたチケットに関連する情報を記憶するものである。
【００２４】
チケット情報暗号化部４７は、チケット購入処理部４４で予約管理データベース４６に格納したチケットに関連する情報を、携帯端末識別子取得部４５で取得した端末固有番号に基づいて暗号化するものである。ここで、本実施例では、端末固有番号で復号出来るようにチケットに関連する情報を暗号化するようにしている。
【００２５】
チケット情報送出部４８は、暗号化したチケットに関連する情報を、携帯端末６に送出するものである。
【００２６】
ここで、選択されたチケットに関連する情報を、以下、チケット情報として説明する。
【００２７】
携帯端末６は、電子チケット発行装置４と同様に、図２に示すように、ＣＰＵ、ＲＡＭ、ＲＯＭ、磁気記憶装置、および各種インタフェースなどによって構成されている。磁気記憶装置には、図４に示すような制御部６１、携帯端末識別子記憶部６２、及び、チケット情報記憶部６３などの機能を実現するためのプログラムやデータベースがインストールされている。これらのプログラムおよびデータベースは、必要に応じてＲＡＭにロードされ、ＣＰＵによって実行される。携帯端末６として、ノート型のパーソナルコンピュータ、ＰＤＡ、携帯電話機など、持ち運びに便利なものが用いられる。また、携帯端末６は、制御部６１と携帯端末識別子記憶部６２及びチケット情報記憶部６３とを別々の筐体に構成する事も可能である。例えば、チケット情報記憶部６３は、携帯電話機から取り外し可能なＩＣカードの記憶部に構成し、制御部６１及び携帯端末識別子記憶部６２は、ＩＣタグリーダライタを備える携帯電話機に構成するようにしても良い。この場合、制御部６１は、携帯電話機のＩＣタグリーダライタを制御して、チケット情報記憶部６３に情報を書き込んだり、読み込んだりする事になる。
【００２８】
携帯端末６は、図４に示すように、制御部６１、携帯端末識別子記憶部６２、及びチケット情報記憶部６３で構成されている。
【００２９】
制御部６１は、電子チケット発行装置４や後述する入場可否判定装置７と情報の送受信をするものである。また、後述する携帯端末識別子記憶部６２及びチケット情報記憶部６３の情報を読み書きしたりするものである。
【００３０】
携帯端末識別子記憶部６２は、携帯端末６の端末固有番号を記憶するものであり、利用者は、携帯端末識別子記憶部６２に記憶された情報を変更したり削除したりする事は出来ない。例えば、携帯端末６が携帯電話機であれば、携帯電話機の携帯番号を記憶する記憶部の事である。この記憶部は、利用者が携帯電話機の利用を契約した際に、業者により携帯電話番号が格納されるものである。従って、利用者は、当該記憶部に記憶された情報を変更したり削除したりする事は出来ない。また、携帯端末識別子記憶部６２が、ＩＣタグを有するＩＣカードの記憶部に構成されていれば、ＩＣタグの固有番号を記憶する記憶部の事である。ＩＣタグの場合でも携帯電話機と同様に、当該記憶部は、利用者により情報の変更や削除が出来ないように構成されている。このように、本実施例における携帯端末識別子記憶部６２に格納された情報は、利用者により書き替えられるものでない。
【００３１】
チケット情報記憶部６３は、電子チケット発行装置４から受信した、暗号化されたチケット情報を記憶するものである。
【００３２】
入場可否判定装置７は、電子チケット発行装置４と同様に、図２に示すように、ＣＰＵ、ＲＡＭ、ＲＯＭ、磁気記憶装置、及び各種インタフェースなどによって構成されている。磁気記憶装置には、図５に示すようなデータ読み取り部７１、データ復号化部７２、入場情報データベース７３、入場可否判定部７４及び報知部７５などの機能を実現するためのプログラムやデータベースがインストールされている。これらのプログラムおよびデータベースは、必要に応じてＲＡＭにロードされ、ＣＰＵによって実行される。入場可否判定装置７として、サーバコンピュータ、ワークステーション、パーソナルコンピュータなどのコンピュータが用いられる。
【００３３】
入場可否判定装置７は、図５に示すように、データ読み取り部７１、データ復号化部７２、入場情報データベース７３、入場可否判定部７４及び報知部７５で構成されている。
【００３４】
データ読み取り部７１は、携帯端末６の制御部６１に、端末固有番号、及び暗号化されたチケット情報を受け渡すように指示するものである。
【００３５】
データ復号化部７２は、取得した端末固有番号に基づいて、取得した暗号化されたチケット情報を復号するものである。
【００３６】
入場情報データベース７３は、入場を許可する条件を記憶したものである。
【００３７】
入場可否判定部７４は、入場情報データベース７３から入場を許可する条件を取得し、データ復号化部７２で復号したチケット情報が、この条件を満たすか否か判定するものである。
【００３８】
報知部７５は、入場可否判定部７４で判定された結果を、利用者や入場口の係員に報知するものである。例えば、入場可否判定装置７の備える表示部に入場可否を表示するようにしても良いし、入場可否判定装置７が、入場するための扉を有するもの、例えば、駅に設置されている改札装置のようなものであれば、入場可否に基づいてドアのロックを制御するようにしても良い。更に、入場可否に基づいて、ブザーを制御するようにしても良い。つまり、入場可否の結果を、利用者や入場口の係員が確認する事が出来るものであれば、どのような構成にしても良い。
【００３９】
次に、ユーザが、携帯端末６を用いてチケットを購入するチケット発行システムの処理、及び、映画館やコンサート会場の入口において、ユーザが入場可能なチケットを有しているか否か確認する入場可否判定システムの処理について説明をする。
【００４０】
図６は、本実施例におけるチケット発行システムの処理をフローチャートで示したものである。
【００４１】
ユーザが携帯端末６を用いて、電子チケット発行装置４に接続すると、電子チケット発行装置４は、ユーザ認証部４２を起動する（Ｓ６−１）。
【００４２】
ユーザ認証部４２は、起動されると、携帯端末６のユーザに、ユーザ識別子及びパスワードを入力するよう求める。そして、ユーザ認証部４２は、携帯端末６からユーザ識別子及びパスワードを受信すると、入力されたユーザ識別子及びパスワードの組み合わせがユーザ情報データベース４１に記憶されているか否か検索する。
【００４３】
ここで、図７にユーザ情報データベース４１の構成例を示す。
【００４４】
図７に例示するユーザ情報データベース４１は、ユーザ識別子フィールド、パスワードフィールド、及び、クレジットカード識別子フィールドで構成されている。
【００４５】
ユーザ識別子フィールドは、ユーザ識別子を記憶するフィールドである。本実施例では、ユーザ識別子の一例として、ユーザの所持する携帯端末６の端末固有番号で説明しているが、ユーザ名を利用しても良く、ユーザを一意に識別出来るものであれば何でも良い。
【００４６】
パスワードフィールドは、ユーザ識別子に対応するパスワードを記憶するフィールドである。
【００４７】
クレジットカード識別子フィールドは、ユーザが、チケットの対価を支払う為に利用するクレジットカードの識別子を記憶するフィールドである。
【００４８】
図７の例では、ユーザ識別子「０９０−８８８８−８８８８」であるユーザのパスワードは、「ＡＡＡ」であり、当該ユーザは、「ＸＸＸ−ＹＹＹ」という番号のクレジットカードを利用している事が分かる。また、ユーザ識別子「０９０−７７７７−７７７７」であるユーザは、パスワードが「ＢＢＢ」であり、「ＸＸＸ−ＺＺＺ」という番号のクレジットカードを利用している事が分かる。
【００４９】
ユーザ認証部４２は、入力されたユーザ識別子及びパスワードの組み合わせがユーザ情報データベース４１に登録されていると判断すると、チケット購入処理部４４を起動する（Ｓ６−２）。ここで、本実施例では、「０９０−８８８８−８８８８」であるユーザがユーザ認証に成功し、チケットを購入する処理を実行するものとして、以下説明をする。
【００５０】
チケット購入処理部４４は、起動されると、図８に例示するような予約ジャンル選択画面を携帯端末６の備える表示装置に表示する。
【００５１】
ユーザは、図８に例示するような予約ジャンル選択画面を利用して、購入したいチケットのジャンルに相当するボタンを選択する。本実施例では、ユーザにより「プロ野球」ボタンが選択されたものとして、以下説明をする。
【００５２】
ユーザによりチケットのジャンルが選択されると、チケット購入処理部４４は、図９に例示するような予約日選択画面を携帯端末６の備える表示装置に表示する。
【００５３】
ユーザは、図９に例示するような予約日選択画面を参照して、観戦したい日付を選択する。本実施例では、ユーザにより「２００４年１１月３０日」が選択されたものとする。
【００５４】
ユーザによりチケットの予約日が選択されると、チケット購入処理部４４は、ユーザの選択に基づいて、チケット情報データベース４３から、対応するチケット情報を検索し、図１０に例示するような試合選択画面を携帯端末６の表示装置に表示する。
【００５５】
ここで、チケット情報データベース４３は、電子チケット発行装置４で購入可能なチケット情報を記憶する一般的なデータベースであり、公知のものを利用するものであるため、詳細な説明は省略する。
【００５６】
ユーザは、図１０に例示するような試合選択画面を参照して、観戦したい試合を選択する。本実施例では、ユーザにより「さぬきスタジアム  香川ウドンズ  ｖｓ  大阪オコノミーズ」が選択されたものとする。
【００５７】
ユーザにより試合が選択されると、チケット購入処理部４４は、ユーザの選択に基づいて、チケット情報データベース４３から、当該試合の座席種別を検索し、図１１に例示するような座席選択画面を携帯端末６の表示装置に表示する。ユーザは、図１１に例示するような座席選択画面を参照して、座席を選択すると共に、必要な枚数を入力する。本実施例では、ユーザにより「内野Ａ  ３５００円」が「１席」選択されたものとする。
【００５８】
ユーザにより座席が選択されると、チケット購入処理部４４は、ユーザの選択に基づいて、予約内容を編集し、図１２に例示するような予約確認画面を携帯端末６の表示装置に表示する。ユーザは、図１２に例示するような予約確認画面を参照する事で、購入しようとするチケット情報が正しいかどうか確認出来る。本実施例では、ユーザは、図１２に例示する内容のチケットの購入を決め、予約確認画面の「ＯＫ」ボタンを選択したものとして、以下説明をする。
【００５９】
尚、図８乃至図１２に例示したチケットの購入方法は、公知のものを利用するものであり、これに限定するものではない。
【００６０】
ユーザにより「ＯＫ」ボタンが選択されると、チケット購入処理部４４は、予約番号を発行し、予約管理データベース４６に、予約番号に対応付けて、購入の決定のなされたチケット情報を格納する。予約番号は、連番でも良いし、ランダムに決定するものでも良く、ユーザにより購入されたチケット情報を一意に識別出来るものであれば、どのような番号でも良い。
【００６１】
ここで、図１３に予約管理データベース４６の構成例を示す。
【００６２】
予約管理データベース４６は、予約番号フィールド、ユーザ識別子フィールド、予約種別フィールド、予約日付フィールド、予約施設フィールド、予約席フィールド、予約内容フィールド、及び支払フィールドで構成されている。
【００６３】
予約番号フィールドは、チケット購入処理部４４が発行した予約番号を記憶するフィールドである。
【００６４】
ユーザ識別子フィールドは、チケットを購入したユーザのユーザ識別子を記憶するフィールドである。
【００６５】
予約種別フィールドは、購入されたチケットのジャンルを記憶するフィールドである。本実施例では、予約ジャンル選択画面で選択されたジャンルを記憶するようにしている。
【００６６】
予約日付フィールドは、購入されたチケットの予約日付を記憶するフィールドである。本実施例では、予約日選択画面で選択された予約日を記憶するようにしている。
【００６７】
予約施設フィールドは、購入されたチケットを利用出来る施設名を記憶するフィールドである。本実施例では、試合選択画面で選択された試合の開催場所を記憶するようにしている。
【００６８】
予約席フィールドは、購入されたチケットの予約席の種類を記憶するフィールドである。本実施例では、座席選択画面で選択された座席を記憶するようにしている。
【００６９】
予約内容フィールドは、購入されたチケットのイベント名を記憶するフィールドである。本実施例では、試合選択画面で選択された対戦カードを記憶するようにしている。
【００７０】
支払フィールドは、購入されたチケットの対価をどのように支払うか記憶するフィールドである。本実施例では、クレジットカードで支払うか、現金で支払うかの２値で記憶するようにしている。
【００７１】
ここで、予約種別フィールド、予約日付フィールド、予約施設フィールド、予約席フィールド、予約内容フィールド、及び支払フィールドは、一つのフィールドとして構成しても良く、これに限るものではない。
【００７２】
本実施例では、図１２に例示するような内容で、ユーザはチケット情報の購入をした。従って、図１３の予約番号「ＡＡＡ−ＢＢＢ−ＣＣＣ」に対応するようなチケット情報が予約管理データベース４６に格納される事になる。また、図１３に例示するように、ユーザ「０９０−８８８８−８８８８」は、図１２に例示するようなチケット情報とは別に、予約番号「ＡＡＡ−ＢＢＢ−ＤＤＤ」に関連するチケットも購入している事が分かる。
【００７３】
このように、ユーザにより、チケットが購入されるたびに、一意となる予約番号が発行され、予約管理データベース４６に格納される事になる。
【００７４】
チケット購入処理部４４は、購入されたチケット情報を、予約管理データベース４６に、予約番号に対応付けて格納すると、携帯端末識別子取得部４５を起動する（Ｓ６−３）。
【００７５】
携帯端末識別子取得部４５は、起動されると、携帯端末６の制御部６１に、端末固有番号を送信するよう指示をする。
【００７６】
制御部６１は、携帯端末識別子取得部４５から指示を受けると、携帯端末識別子記憶部６２から携帯端末６の端末固有番号を取得し、携帯端末識別子取得部４５に送信する。
【００７７】
ここで、図１４に携帯端末識別子記憶部６２の構成例を示す。
【００７８】
携帯端末識別子記憶部６２は、端末固有番号フィールドで構成されている。
【００７９】
端末固有番号フィールドは、携帯端末を一意に識別出来る識別子を記憶するフィールドであり、例えば、ＭＡＣアドレス、携帯電話番号、ＩＣタグの識別番号等を記憶するフィールドである。従って、携帯端末６のユーザは、このフィールドに記憶された情報を変更したり、削除したりする事は出来ない。
【００８０】
携帯端末識別子取得部４５は、携帯端末６の端末固有番号を取得すると、チケット情報暗号化部４７を起動する（Ｓ６−４）。
【００８１】
チケット情報暗号化部４７は、起動されると、チケット購入処理部４４で発行した予約番号に対応するチケット情報を、予約管理データベース４６を検索して取得し、当該チケット情報を、携帯端末識別子取得部４５で取得した端末固有番号で復号出来るように、暗号化する。本実施例では、予約管理データベース４６の予約番号フィールド乃至予約内容フィールドを暗号化する例で説明するが、これに限定するものではなく、例えば、予約日付フィールドと予約席フィールドのみを暗号化するようにしても良い。つまり、後述する入場可否判定システムの処理において、入場可否を判定するのに必要な情報が暗号化されれば良い。また、暗号化の方法については、暗号鍵、復号鍵共に端末固有番号を利用する方法や、復号鍵に基づいて、所定のハッシュ関数により暗号鍵を算出し、当該暗号鍵に基づいて暗号化する方法など、公知の暗号化方式を利用するものであり、詳細な説明は省略する。
【００８２】
チケット情報暗号化部４７は、チケット情報を、端末固有番号で復号出来るように暗号化すると、チケット情報送出部４８を起動する（Ｓ６−５）。
【００８３】
チケット情報送出部４８は、起動されると、暗号化したチケット情報を携帯端末６に送出する。
【００８４】
携帯端末６は、暗号化されたチケット情報を受信すると、制御部６１を起動する。
【００８５】
制御部６１は、起動されると、チケット情報記憶部６３に、受信した暗号化されたチケット情報を格納する。
【００８６】
ここで、図１５にチケット情報記憶部６３の構成例を示す。
【００８７】
チケット情報記憶部６３は、チケット情報フィールドで構成されている。
【００８８】
チケット情報フィールドは、電子チケット発行装置４から受信した暗号化されたチケット情報を記憶するフィールドである。
【００８９】
図１５に示す例では、便宜上、予約番号「ＡＡＡ−ＢＢＢ−ＣＣＣ」に対応するチケット情報を端末固有番号「０９０−８８８８−８８８８」で復号出来るように暗号化したものを、「暗号化されたＡＡＡ−ＢＢＢ−ＣＣＣ」で示している。また、予約番号「ＡＡＡ−ＢＢＢ−ＤＤＤ」に対応するチケット情報を端末固有番号「０９０−８８８８−８８８８」で復号化出来るように暗号化したものを、「暗号化されたＡＡＡ−ＢＢＢ−ＤＤＤ」で示している。
【００９０】
このように、ユーザにより購入されたチケット情報を、ユーザの利用する携帯端末６の端末固有番号で復号出来るように暗号化して、チケット情報記憶部６３に格納する事で、電子チケット発行システム２の処理が終了する。
【００９１】
次に、野球場の入場口において、ユーザの入場可否を判定する入場可否判定システム３の処理について説明をする。
【００９２】
図１６は、本実施例における入場可否判定システム３の処理をフローチャートで示したものである。
【００９３】
本実施例の入場可否判定装置７は、駅に設置されている改札装置を、野球場の入場口に設置したようなものとして、以下説明をする。
【００９４】
入場可否判定装置７のデータ読み取り部７１に、携帯端末６が近付けられた事を景気として、処理が開始される。
【００９５】
データ読み取り部７１は、携帯端末６を検知すると、制御部６１に、情報を受け渡すように指示する（Ｓ１６−１、Ｓ１６−２）。
【００９６】
制御部６１は、データ読み取り部７１から指示されると、携帯端末識別子記憶部６２及びチケット情報記憶部６３から夫々、端末固有番号及びチケット情報を取得し、データ読み取り部７１に受け渡す。
【００９７】
データ読み取り部７１は、端末固有番号及びチケット情報を取得すると、データ復号化部７２を起動する。
【００９８】
データ復号化部７２は、起動されると、取得したチケット情報を、取得した端末固有番号に基づいて復号化する（Ｓ１６−３）。
【００９９】
データ復号化部７２は、取得したチケット情報を、取得した端末固有番号に基づいて復号化すると、入場可否判定部７４を起動する（Ｓ１６−４）。
【０１００】
入場可否判定部７４は、起動されると、入場情報データベース７３を参照して、復号化されたチケット情報が入場条件を満たしているか否か判定する。
【０１０１】
本実施例では、ユーザは、予約番号「ＡＡＡ−ＢＢＢ−ＣＣＣ」及び「ＡＡＡ−ＢＢＢ−ＤＤＤ」の２種のチケットを購入していた。この内のいずれかが入場条件を満たしていると判定されると、入場可能と判定される。
【０１０２】
入場情報データベース７３は、入場条件を記憶する一般的なデータベースであるため詳細な説明は省略するが、例えば、予約日付、予約施設、予約内容が格納されている。本実施例では、予約日付「１１月３０日」、予約施設「さぬきスタジアム」、予約内容「香川ウドンズ  ｖｓ  大阪オコノミーズ」が入場条件として設定されていたとする。そうすると、本実施例におけるユーザは、この入場条件を満たすチケット情報を有しているため、入場可能と判定される事になる。
【０１０３】
そして、入場可能と判定されると、報知部７５が起動され、入場可能な旨、報知される。
【０１０４】
また、入場否と判定されると、報知部７５は、入場出来ない旨、報知すると共に、ユーザが改札装置を通過できないように、扉をロックする。
【０１０５】
ここで、データ復号化部７２で、うまく復号がなされなかった場合、入場可否判定部７４では、入場条件と比較する事が出来ず、入場否と判定される事になる。
【０１０６】
また、あるチケット情報に基づいて、入場可能と判定され、ユーザが入場した場合、携帯端末６に記憶されている当該チケット情報を削除するように構成しても良い。
【０１０７】
このように、本発明では、チケットを購入する際、ユーザの利用する携帯端末６の端末固有番号で復号出来るように、チケット情報を暗号化している。そして、携帯端末６では、端末固有番号で復号出来る暗号化されたチケット情報を記憶するようにしている。一方、入場可否判定装置７では、現に入場しようとしている携帯端末６の端末固有番号を取得すると共に、当該携帯端末６に記憶された暗号化されたチケット情報を取得して、当該端末固有番号に基づいて、当該チケット情報を復号化している。つまり、携帯端末６の端末固有番号と暗号化されたチケット情報の復号鍵が一致しなければ、入場を許可される事はない。このように本発明では、チケット情報が不正にコピーされたとしても、その不正にコピーされた情報を有する携帯端末６の入場を防止する事が可能となる。
【０１０８】
また、本実施例では、携帯端末６に格納するチケット情報は、当該携帯端末６の端末固有番号で復号化出来るもので説明したが、これに限るものではなく、携帯端末６を識別可能な識別子とチケット情報とを組み合わせて、当該識別子からチケット情報を組み立て直せるものであれば何でも良い。例えば、チケット情報の１０バイト目と２０バイト目に識別子を２分して組み込むようにしても良い。このように、チケット情報の複数の所定箇所に識別子を組み合わせるようにしても良い。
【実施例２】
【０１０９】
次に、本発明の電子チケット発行システムにおける、チケット情報の譲渡処理、及び譲受処理について、図１７乃至図２４を用いて、以下説明をする。
【０１１０】
本実施例は、実施例１で説明したように、電子チケット発行システム２で、チケットを購入する処理をした後に、当該チケットを購入したユーザが、他のユーザに当該チケットを譲渡する場合がある事を考慮したものである。本実施例では、このようなチケットの譲渡処理、及び譲受処理について説明をする。
【０１１１】
図１７は、本発明の実施例による、インターネット網、電話回線網及びＬＡＮ等のネットワーク５を介して相互接続された実施例１で説明したような電子チケット発行装置４、実施例１で説明したような携帯端末６、及び携帯端末６´からなる電子チケット発行システム２の構成を示している。ここで、携帯端末６及び携帯端末６´は、実施例１で説明した携帯端末６と同様の構成であり、本実施例では、ユーザが携帯端末６を用いて購入したチケット情報を、携帯端末６´を所持する他のユーザに譲渡する処理、及び他のユーザがユーザからチケット情報を譲り受ける処理について説明をする。
【０１１２】
本実施例における電子チケット発行装置４は、図１８に示すように、実施例１で説明した電子チケット発行装置４に所有者変更部４９が追加された構成となっている。
【０１１３】
所有者変更部４９は、図１９に示すように、処理受付部４９１、情報取得部４９２、データ復号化部４９３、予約管理情報更新部４９４、譲受人報知部４９５、携帯端末識別子取得部４９６、予約管理情報確認部４９７、チケット情報暗号化部４９８、及びチケット情報送出部４９９で構成される。
【０１１４】
処理受付部４９１は、携帯端末６からチケットの譲渡処理の起動依頼を受け付けた場合には、情報取得部４９２を起動し、携帯端末６´からチケットの譲受処理の起動依頼を受け付けた場合には、携帯端末識別子取得部４９６を起動するものである。
【０１１５】
情報取得部４９２は、処理受付部４９１から起動されると、携帯端末６の制御部６１に、携帯端末６に記憶された端末固有番号、及び暗号化されたチケット情報を受け渡すように指示するものである。
【０１１６】
データ復号化部４９３は、取得したチケット情報を、取得した端末固有番号に基づいて復号するものである。
【０１１７】
予約管理情報更新部４９４は、予約管理データベース４６を参照して、復号化したチケット情報が格納されているかどうか検索してその有効性を確認し、その結果、チケット情報の有効性が確認された場合には、譲受人は誰か、等の情報をユーザに入力させ、その入力に基づいて、予約管理データベース４６の予約番号フィールドを削除すると共に、ユーザ識別子フィールドを、入力された譲受人のユーザ識別子に変更するものである。更に、携帯端末６に記憶された譲渡対象のチケット情報を削除するものである。ここで、有効性を確認した結果、複数のチケット情報について有効である場合、即ち、携帯端末６に複数のチケット情報が登録されている場合には、ユーザに、どのチケットを誰に譲渡するのか入力させるようにする。そして、譲渡対象とならなかったチケット情報については、携帯端末６からは削除しないように制御する。
【０１１８】
譲受人報知部４９５は、ユーザより入力された譲受人に対して、チケットの譲受処理をする旨、報知するものである。報知の方法は、公知のものであればどのようなものを利用しても良い。例えば、ユーザ識別子とメールアドレスとを対応付けて記憶するように、ユーザ情報データベース４１を構成しておき、ユーザにより入力された譲受人のユーザ識別子に対応するメールアドレスに電子メールを自動的に送信する事で報知するようにしても良い。
【０１１９】
携帯端末識別子取得部４９６は、処理受付部４９１から起動されると、携帯端末６´（譲受人の所持する携帯端末）に記憶された端末固有番号を取得するように、携帯端末６´の制御部６１に指示するものである。
【０１２０】
予約管理情報確認部４９７は、譲受人のユーザ識別子と一致し、かつ、予約番号の格納されていないレコードを予約管理データベース４６から取得すると共に、新たな予約番号を発行するものである。例えば、実施例１のように、ユーザ識別子に端末固有番号を利用している場合には、携帯端末識別子取得部４９６で取得した携帯端末６´の端末固有番号と一致し、かつ、予約番号の記憶されていないレコードを予約管理データベース４６から取得すると共に、実施例１で説明したような方法で、新たに予約番号を発行する事になる。
【０１２１】
チケット情報暗号化部４９８は、予約管理情報確認部４９７で取得したレコードの内、チケット情報に相当するフィールドについて、携帯端末識別子取得部４９６で取得した端末固有番号で復号出来るように暗号化するものである。
【０１２２】
チケット情報送出部４９９は、チケット情報暗号化部４９８で暗号化したチケット情報を、携帯端末６´に送出するものである。尚、暗号化されたチケット情報を受信した携帯端末６´は、実施例１で説明したように、制御部６１の処理により、チケット情報記憶部６３に格納されることになる。
【０１２３】
本実施例の携帯端末６及び携帯端末６´の構成は、実施例１で説明した携帯端末６と同様であるため説明を省略する。また、本実施例の電子チケット発行装置４の所有者変更部４９以外の構成要素についても、実施例１で説明したものと同様であるため説明を省略する。
【０１２４】
次に、実施例１で説明した携帯端末６を所持するユーザが、携帯端末６´を所持する他のユーザに予約番号「ＡＡＡ−ＢＢＢ−ＣＣＣ」のチケット情報を譲り渡す際の譲渡処理について図２０のフローチャートに従い説明をする。
【０１２５】
譲渡処理のために、ユーザが携帯端末６を電子チケット発行装置４に接続させると、処理受付部４９１は、情報取得部４９２を起動し、本実施例における譲渡処理が開始される。
【０１２６】
情報取得部４９２は、起動されると、携帯端末６の制御部６１に、端末固有番号、及びチケット情報を受け渡すように指示する（Ｓ２０−１）。
【０１２７】
携帯端末６の制御部６１は、情報取得部４９２から指示を受信すると、携帯端末識別子記憶部６２から端末固有番号を取得し、チケット情報記憶部６３から暗号化されたチケット情報を取得して、取得した情報を情報取得部４９２に受け渡す。本実施例では、実施例１で説明したように、図１４及び図１５に例示するように携帯端末識別子記憶部６２、及びチケット情報記憶部６３に情報が格納されているため、情報取得部４９２は、端末固有番号「０９０−８８８８−８８８８」、及びチケット情報「暗号化されたＡＡＡ−ＢＢＢ−ＣＣＣ」、「暗号化されたＡＡＡ−ＢＢＢ−ＤＤＤ」を取得する事になる。
【０１２８】
情報取得部４９２は、制御部６１から端末固有番号、及びチケット情報を取得すると、データ復号化部４９３を起動する（Ｓ２０−２）。
【０１２９】
データ復号化部４９３は、起動されると、取得したチケット情報を、取得した端末固有番号に基づいて復号化する。
【０１３０】
本実施例では、「暗号化されたＡＡＡ−ＢＢＢ−ＣＣＣ」を「０９０−８８８８−８８８８」で復号化する事で、図１３に例示するような、予約番号「ＡＡＡ−ＢＢＢ−ＣＣＣ」のレコードが復号される。また、同様に、「暗号化されたＡＡＡ−ＢＢＢ−ＤＤＤ」を「０９０−８８８８−８８８８」で復号化する事で、図１３に例示するような、予約番号「ＡＡＡ−ＢＢＢ−ＤＤＤ」のレコードが復号される事になる。
【０１３１】
データ復号化部４９３で、取得したチケット情報の復号化をすると、予約管理情報更新部４９４が起動される（Ｓ２０−３）。
【０１３２】
予約管理情報更新部４９４は、起動されると、復号化したチケット情報の予約番号に対応するレコードを予約管理データベース４６から取得し、復号化したチケット情報と予約管理データベース４６から取得した各レコードの内容が一致するか確認する。この処理により、復号化したチケット情報の有効性を確認する事が出来る。
【０１３３】
予約管理情報更新部４９４は、復号化したチケット情報の有効性を確認すると、ユーザにチケット情報の一覧を送出すると共に、どのチケット情報を誰に（譲受人）譲り渡すのか問い合わせる（Ｓ２０−４）。
【０１３４】
本実施例では、図１３に例示するように、２つのチケット情報が存在する。従って、予約管理情報更新部４９４は、図１３に例示する２つのチケット情報をユーザに提示すると共に、２つの内、何れのチケット情報を誰に譲渡するのか、ユーザに問い合わせる。
【０１３５】
ユーザは、図示しない入力画面に対して、譲渡対象のチケット情報と、譲受人のユーザ識別子を入力する事になる（Ｓ２０−５）。
【０１３６】
本実施例では、ユーザにより、「０９０−７７７７−７７７７」というユーザ識別子である他のユーザが、譲受人として入力されると共に、「ＡＡＡ−ＢＢＢ−ＣＣＣ」というチケット情報が譲渡対称のチケットとして、入力されたものとして、以下説明をする。
【０１３７】
予約管理情報更新部４９４は、ユーザから譲渡対象のチケット情報及び譲受人のユーザ識別子の入力を受け付けると、入力された譲渡対象のチケット情報に対応するレコードを予約管理データベース４６から取得し、当該レコードの予約番号フィールドに格納された予約番号を削除すると共に、ユーザ識別子フィールドに格納された情報を、入力された譲受人のユーザ識別子で更新する（Ｓ２０−６）。本実施例では、図２１に例示する予約管理データベース４６のように更新される。
【０１３８】
そして、情報取得部４９２で取得したチケット情報の内、譲渡対象でないチケット情報については、端末固有番号で暗号化し、携帯端末６の制御部６１に、チケット情報記憶部６３に格納するように指示をする。つまり、携帯端末６のチケット情報記憶部６３から、譲渡対象のチケット情報だけが削除される事になる（Ｓ２０−７）。
【０１３９】
次に、譲受人報知部４９５が起動され、入力された譲受人の連絡先をユーザ情報データベース４１から取得し、譲受処理をするように、連絡先に報知する（Ｓ２０−８）。
【０１４０】
ここで、図２２にユーザ情報データベース４１の構成例を示す。
【０１４１】
図２２に例示するユーザ情報データベース４１は、実施例１で説明したユーザ情報データベース４１に連絡先フィールドを追加したものであり、他のフィールドは実施例１で説明したものであるため、詳細な説明は省略する。
【０１４２】
連絡先フィールドは、ユーザの連絡先を記憶するフィールドである。本実施例では、連絡先の一例として、ユーザのメールアドレスで説明しているが、ＦＡＸ番号や電話番号など、ユーザに連絡の取れるものであれば何でもよく、これに限るものではない。
【０１４３】
本実施例では、入力された譲受人のユーザ識別子は、「０９０−７７７７−７７７７」であるため、譲受人報知部４９５は、図２２に例示するユーザ情報データベース４１から連絡先「０９０７７７７７７７７＠ＸＸＸ．ＪＰ」を取得し、当該メールアドレスに対して、譲受処理を実行するようにメールを送信する。
【０１４４】
図２３に、本実施例における譲受人報知部４９５から送信される報知メールの例を示す。
【０１４５】
このように、チケット情報の譲受人は、メールを受信する事で、チケット情報が譲渡される状態にある事を報知される。
【０１４６】
譲受人報知部４９５の処理で、譲受人に譲渡される旨、報知する事により、本実施例の譲渡処理は終了する。
【０１４７】
次に、携帯端末６´を所持する他のユーザが、チケットを譲り受ける際の譲受処理について図２４のフローチャートに従い説明をする。
【０１４８】
譲受処理のために、ユーザが携帯端末６´を電子チケット発行装置４に接続させると、処理受付部４９１は、携帯端末識別子取得部４９６を起動し、本実施例における譲受処理が開始される。
【０１４９】
携帯端末識別子取得部４９６は、起動されると、携帯端末６´の制御部６１に、端末固有番号を受け渡すように指示する（Ｓ２４−１）。
【０１５０】
携帯端末６´の制御部６１は、携帯端末識別子取得部４９６から指示を受信すると、携帯端末識別子記憶部６２から端末固有番号を取得して、携帯端末識別子取得部４９６に情報を受け渡す。本実施例では、携帯端末識別子取得部４９６が、「０９０−７７７７−７７７７」を端末固有番号として受信したものとして、以下説明をする。
【０１５１】
携帯端末識別子取得部４９６は、携帯端末６´の端末固有番号を取得すると、予約管理情報確認部４９７を起動する。
【０１５２】
予約情報確認部４９７は、起動されると、予約管理データベース４６を参照して、取得した端末固有番号「０９０−７７７７−７７７７」とユーザ識別子が一致し、かつ、予約番号フィールドに何も格納されていないレコードを検索する（Ｓ２４−２）。本実施例では、図２１に例示するように、予約管理データベース４６が構成されている。従って、図２１の１レコード目のレコードが検索される事になる。
【０１５３】
予約情報確認部４９７は、レコードを検索すると、実施例１で説明したような方法で予約番号を発行し、当該発行した予約番号を予約番号フィールドに格納する（Ｓ２４−３）。
【０１５４】
予約管理データベース４６のレコードを更新すると、チケット情報暗号化部４９８が起動され、携帯端末識別子取得部４９６で取得した端末固有番号で復号化出来るように、当該レコードを暗号化する（Ｓ２４−４）。ここで、本実施例では、レコード全てを暗号化するように説明しているが、これに限るものでもなく、実施例１で説明したように、入場可否判定装置７で入場可否を判定する際、必要となる情報についてのみ暗号化するように構成しても良い。
【０１５５】
レコード、つまり譲り受けたチケット情報の暗号化がなされると、チケット情報送出部４９９が起動され、携帯端末６´の制御部６１に、暗号化されたチケット情報を、チケット情報記憶部６３に格納するように、指示をする（Ｓ２４−５）。
【０１５６】
そして、携帯端末６´の制御部６１は、指示を受信すると、受信した暗号化されたチケット情報をチケット情報記憶部６３に格納する。
【０１５７】
このようにして、チケット情報の所有権をユーザから他のユーザに移す事が可能となる。
【０１５８】
また、入場可否判定システム３では、実施例１で説明したように入場可否を判定する処理をする事で、チケット情報を譲り受けた他のユーザは、入場を許可される事になる。
【０１５９】
このように、本実施例では、チケットを譲り受けた際、譲受人の利用する携帯端末６´の端末固有番号で復号出来るように、譲り受けたチケット情報を暗号化している。そして、携帯端末６´では、端末固有番号でのみ復号出来る暗号化されたチケット情報を記憶するようにしている。一方、入場可否判定装置７では、実施例１と同様に、現に入場しようとしている携帯端末６´の端末固有番号を取得すると共に、当該携帯端末６´に記憶された暗号化されたチケット情報を取得して、当該端末固有番号に基づいて、当該チケット情報を復号化している。つまり、携帯端末６´の端末固有番号と暗号化されたチケット情報の復号鍵が一致しなければ、入場を許可される事はない。このように本実施例では、チケット情報をユーザ間でやりとりしても、不正にコピーされた情報を有する携帯端末の入場を防止する事が可能となる。
【０１６０】
以上の実施例１及び実施例２を含む実施形態に関し、更に以下の付記を開示する。
（付記１）  記憶装置に情報を格納する電子チケット発行装置、及び前記記憶装置に記憶された情報を読み出す入場可否判定装置からなる電子チケットシステムにおいて、
前記記憶装置は、
前記記憶装置の識別子が格納された記憶領域である識別子記憶部と、
前記電子チケット発行装置が情報を格納する記憶領域であるチケット情報記憶部と、を備え、
前記電子チケット発行装置は、
第一の電子チケット情報を作成するチケット作成手段と、
前記識別子記憶部から前記記憶装置の識別子を取得する識別子取得手段と、
前記第一の電子チケット情報と前記記憶装置の識別子とを組み合わせて、第二の電子チケット情報を作成するチケット組み合わせ手段と、
前記作成した第二の電子チケット情報を前記チケット情報記憶部に格納するチケット発行手段と、を備え、
前記入場可否判定装置は、
前記識別子記憶部から前記記憶装置の識別子を取得する識別子取得手段と、
前記チケット情報記憶部から前記第二の電子チケット情報を取得するチケット情報取得手段と、
前記記憶装置の識別子と前記第二の電子チケット情報に基づいて、前記第一の電子チケット情報を作成するチケット再作成手段と、
前記作成した第一の電子チケット情報が入場に係る条件を満たすか否か判定する入場可否判定手段と、
前記入場可否判定手段の判定に応じて、入場可否を決定する入場規制手段と、
を備える事を特徴とする電子チケットシステム。
（付記２）  記憶装置に情報を格納する電子チケット発行装置、及び前記記憶装置に記憶された情報を読み出す入場可否判定装置からなる電子チケットシステムにおいて、
前記記憶装置は、
前記記憶装置の識別子が格納された記憶領域である識別子記憶部と、
前記電子チケット発行装置が情報を格納する記憶領域であるチケット情報記憶部と、を備え、
前記電子チケット発行装置は、
第一の電子チケット情報を作成するチケット作成手段と、
前記識別子記憶部から前記記憶装置の識別子を取得する識別子取得手段と、
前記第一の電子チケット情報を、前記記憶装置の識別子で復号出来るように、暗号化して第二の電子チケット情報を作成するチケット暗号化手段と、
前記作成した第二の電子チケット情報を前記チケット情報記憶部に格納するチケット発行手段と、を備え、
前記入場可否判定装置は、
前記識別子記憶部から前記記憶装置の識別子を取得する識別子取得手段と、
前記チケット情報記憶部から前記第二の電子チケット情報を取得するチケット情報取得手段と、
前記記憶装置の識別子に基づいて、前記第二の電子チケット情報を復号して、前記第一の電子チケット情報を得るチケット復号手段と、
前記第一の電子チケット情報が入場に係る条件を満たすか否か判定する入場可否判定手段と、
前記入場可否判定手段の判定に応じて、入場可否を決定する入場規制手段と、
を備える事を特徴とする電子チケットシステム。
（付記３）  記憶装置に情報を格納する電子チケット発行装置において、
第一の電子チケット情報を作成するチケット作成手段と、
前記記憶装置から記憶装置の識別子を取得する識別子取得手段と、
前記第一の電子チケット情報と前記記憶装置の識別子とを組み合わせて、第二の電子チケット情報を作成するチケット組み合わせ手段と、
前記作成した第二の電子チケット情報を前記記憶装置に格納するチケット発行手段と、を備える事を特徴とする電子チケット発行装置。
（付記４）  記憶装置に情報を格納する電子チケット発行装置において、
第一の電子チケット情報を作成するチケット作成手段と、
前記記憶装置から記憶装置の識別子を取得する識別子取得手段と、
前記第一の電子チケット情報を、前記記憶装置の識別子で復号出来るように、暗号化して第二の電子チケット情報を作成するチケット暗号化手段と、
前記作成した第二の電子チケット情報を前記記憶装置に格納するチケット発行手段と、を備える事を特徴とする電子チケット発行装置。
（付記５）  記憶装置に記憶された情報を読み出す入場可否判定装置において、
前記識別子記憶部から前記記憶装置の識別子を取得する識別子取得手段と、
前記チケット情報記憶部から前記第二の電子チケット情報を取得するチケット情報取得手段と、
前記記憶装置の識別子と前記第二の電子チケット情報に基づいて、前記第一の電子チケット情報を作成するチケット再作成手段と、
前記作成した第一の電子チケット情報が入場に係る条件を満たすか否か判定する入場可否判定手段と、
前記入場可否判定手段の判定に応じて、入場可否を決定する入場規制手段と、を備える事を特徴とする入場可否判定装置。
（付記６）  記憶装置に記憶された情報を読み出す入場可否判定装置において、
前記識別子記憶部から前記記憶装置の識別子を取得する識別子取得手段と、
前記チケット情報記憶部から前記第二の電子チケット情報を取得するチケット情報取得手段と、
前記記憶装置の識別子に基づいて、前記第二の電子チケット情報を復号して、前記第一の電子チケット情報を得るチケット復号手段と、
前記抽出した第一の電子チケット情報が入場に係る条件を満たすか否か判定する入場可否判定手段と、
前記入場可否判定手段の判定に応じて、入場可否を決定する入場規制手段と、を備える事を特徴とする入場可否判定装置。
（付記７）  記憶装置に情報を格納する電子チケット発行方法において、
チケットの選択情報を受け付けるステップと、
前記選択情報に基づいて第一の電子チケット情報を作成するステップと、
前記記憶装置から記憶装置の識別子を取得するステップと、
前記第一の電子チケット情報と前記記憶装置の識別子とを組み合わせて、第二の電子チケット情報を作成するステップと、
前記作成した第二の電子チケット情報を前記記憶装置に格納するステップと、を実行する事を特徴とする電子チケット発行方法。
（付記８）  記憶装置に記憶された情報を読み出す入場可否判定方法において、
前記識別子記憶部から前記記憶装置の識別子を取得するステップと、
前記チケット情報記憶部から前記第二の電子チケット情報を取得するステップと、
前記記憶装置の識別子と前記第二の電子チケット情報に基づいて、前記第一の電子チケット情報を作成するステップと、
前記作成した第一の電子チケット情報が入場に係る条件を満たすか否か判定するステップと、
前記入場可否判定手段の判定に応じて、入場可否を決定するステップと、を実行する事を特徴とする入場可否判定方法。
【図面の簡単な説明】
【０１６１】
【図１】電子チケット発行システム、入場可否判定システムの概要を示す図である。
【図２】電子チケット発行装置のハードウェア構成の例を示す図である。
【図３】電子チケット発行装置の構成例を示す図である。
【図４】携帯端末の構成例を示す図である。
【図５】入場可否判定装置の構成例を示す図である。
【図６】チケット発行システムの処理のフローチャートである。
【図７】ユーザ情報データベースのレコード構成例を示す図である。
【図８】予約ジャンル選択画面の表示例を示す図である。
【図９】予約日選択画面の表示例を示す図である。
【図１０】試合選択画面の表示例を示す図である。
【図１１】座席選択画面の表示例を示す図である。
【図１２】予約確認画面の表示例を示す図である。
【図１３】予約管理データベースのレコード構成例を示す図である。
【図１４】携帯端末識別子記憶部のレコード構成例を示す図である。
【図１５】チケット情報記憶部のレコード構成例を示す図である。
【図１６】入場可否判定システムの処理のフローチャートである。
【図１７】実施例２における電子チケット発行システムの概要を示す図である。
【図１８】実施例２における電子チケット発行装置の構成の例を示す図である。
【図１９】実施例２における所有者変更部の構成の例を示す図である。
【図２０】実施例２における電子チケット発行システムの譲渡処理のフローチャートである。
【図２１】実施例２における予約管理データベースのレコード構成例を示す図である。
【図２２】実施例２におけるユーザ情報データベースのレコード構成例を示す図である。
【図２３】実施例２における報知メールの例を示す図である。
【図２４】実施例２における電子チケット発行システムの譲受処理のフローチャートである。
【符号の説明】
【０１６２】
１        電子チケットシステム
２        電子チケット発行システム
３        入場可否判定システム
４        電子チケット発行装置
５        ネットワーク
６        携帯端末
６´      携帯端末
７        入場可否判定装置
【図１】
2006215629.tif 000003
【図２】
2006215629.tif 000004
【図３】
2006215629.tif 000005
【図４】
2006215629.tif 000006
【図５】
2006215629.tif 000007
【図６】
2006215629.tif 000008
【図７】
2006215629.tif 000009
【図８】
2006215629.tif 000010
【図９】
2006215629.tif 000011
【図１０】
2006215629.tif 000012
【図１１】
2006215629.tif 000013
【図１２】
2006215629.tif 000014
【図１３】
2006215629.tif 000015
【図１４】
2006215629.tif 000016
【図１５】
2006215629.tif 000017
【図１６】
2006215629.tif 000018
【図１７】
2006215629.tif 000019
【図１８】
2006215629.tif 000020
【図１９】
2006215629.tif 000021
【図２０】
2006215629.tif 000022
【図２１】
2006215629.tif 000023
【図２２】
2006215629.tif 000024
【図２３】
2006215629.tif 000025
【図２４】
2006215629.tif 000026